(57)【要約】【課題】低コスト且つコンパクトな内接揺動噛合型遊星歯車減速機を提供する。【解決手段】外部モータ１１０の出力軸１１２に設けられたピニオン１１４と噛合してピニオン１１４から駆動力を受ける入力歯車１２０を備えた入力軸１２２と、入力軸１２２に形成された入力軸歯車１２４と、外歯歯車１３４を揺動させるための偏心体１３２を備えた複数本の偏心体軸１３０と、偏心体軸１３０の少なくとも１本に形成され、該偏心体軸が動力を受け取るための偏心体軸歯車１２８と、入力軸歯車１２４の回転を偏心体軸歯車１２８に伝達する伝達歯車１２６と、伝達歯車１２６を軸方向に貫通する円筒フランジ１３１と、伝達歯車１２６を円筒フランジ１３１に対して回転可能に支持する１の伝達歯車用軸受１２７と、を備え、且つ、入力軸歯車１２４、偏心体軸歯車１２８、伝達歯車１２６、伝達歯車用軸受１２７を同一平面上に配置する。【選択図】図１
2007278355.tif 000002
【特許請求の範囲】
【請求項１】
入力された動力を、揺動する外歯歯車を介して減速し出力する内接揺動噛合型遊星歯車減速機であって、
前段の回転軸に設けられたピニオンと噛合して該ピニオンから駆動力を受ける入力歯車を備えた入力軸と、
該入力軸に形成された入力軸歯車と、
前記外歯歯車を揺動させるための偏心体を備えた複数本の偏心体軸と、
該複数本の偏心体軸の少なくとも１本に形成され、該偏心体軸が動力を受け取るための偏心体軸歯車と、
前記入力軸歯車の回転を前記偏心体軸歯車に伝達する伝達歯車と、
該伝達歯車を軸方向に貫通する貫通部材と、
前記伝達歯車を前記貫通部材に対して回転可能に支持する１の軸受と、を備え、且つ、
前記入力軸歯車、前記偏心体軸歯車、前記伝達歯車、前記軸受が同一平面上に配置されている
ことを特徴とする内接揺動噛合型遊星歯車減速機。
【請求項２】
入力された動力を、揺動する外歯歯車を介して減速し出力する内接揺動噛合型遊星歯車減速機であって、
前記外歯歯車を揺動させるための偏心体を備えた複数本の偏心体軸と、
該複数本の偏心体軸の少なくとも１本に形成された偏心体軸歯車と、
前段の回転軸に設けられたピニオンと噛合して該ピニオンから駆動力を受ける入力歯車を備え、且つ、前記偏心体軸歯車が形成された偏心体軸のいずれか１つと同軸に一体形成された入力軸と、
該入力軸と一体形成された偏心体軸の回転を、その他の偏心体軸歯車が形成された偏心体軸に伝達する伝達歯車と、
該伝達歯車を軸方向に貫通する貫通部材と、
前記伝達歯車を前記貫通部材に回転自在に支持する１の軸受と、を備え、且つ、
前記偏心体軸歯車、前記伝達歯車、前記軸受が同一平面上に配置されている
ことを特徴とする内接揺動噛合型遊星歯車減速機。
【請求項３】
請求項１又は２において、
前記貫通部材が、中空とされた円筒体である
ことを特徴とする内接揺動噛合型遊星歯車減速機。
【請求項４】
請求項１又は２において、
前記外歯歯車が複数枚軸方向に重ねて配置され、
前記伝達歯車が、前記外歯歯車の間に配置されることにより軸方向の位置が規制されている
ことを特徴とする内接揺動噛合型遊星歯車減速機。
【請求項５】
請求項１又は２において、
前記伝達歯車が、前記外歯歯車と、該外歯歯車の自転成分を取り出すキャリア体との間に配置されることにより軸方向の位置が規制されている
ことを特徴とする内接揺動噛合型遊星歯車減速機。
【請求項６】
請求項１乃至５のいずれかにおいて、
前記軸受が、複数のころにより構成され、前記貫通部材の外周面及び前記伝達歯車の内周面が当該ころの転送面として機能する
ことを特徴とする内接揺動噛合型遊星歯車減速機。
【発明の詳細な説明】
【技術分野】
【０００１】
本発明は、内接揺動噛合型遊星歯車減速機に関する。
【背景技術】
【０００２】
従来、特許文献１及び２に記載のギアドモータ１、２及び２´が知られている。
【０００３】
図４に、特許文献１記載のギアドモータ１を示す。図５に、特許文献２記載のギアドモータ２を示す。図６に、特許文献２記載のギアドモータ２´を示す。なお、これら各ギアドモータにおける同一又は類似する部分については、同一の符号を付して説明する。
【０００４】
各ギアドモータはいずれも、動力源であるモータ１０と、モータ１０のモータ軸１２に備わるピニオン又はプーリ１４と、外歯歯車３４を揺動させるための偏心体３２を備えた偏心体軸３０と、外歯歯車３４の自転成分を取り出すキャリア体３８（３８Ａ、３８Ｂ）とを備え、該キャリア体３８がキャリア体用軸受５０（５０Ａ、５０Ｂ）を介してケーシング４０に軸支されている。
【０００５】
ギアドモータ１では、ピニオン１４が軸方向に延在する伝達歯車２６に形成された大径の大歯車２６Ｂに噛合しており、更に、伝達歯車２６に形成された小歯車２６Ａが３本の偏心体軸３０（図４においては１本のみ現れている。）に備わる入力歯車２０のそれぞれと噛合している。又、この伝達歯車２６は、２つの軸受、即ち軸受８０、８１によって回転自在に支持されている。
【０００６】
ギアドモータ２では、ピニオン１４は直接、偏心体軸３０（３本の偏心体軸３０のうちの１つ。図５において１つしか現れていない。）に備わる入力歯車２０と噛合している。更に当該入力歯車２０は、軸方向に延在する伝達歯車２６と噛合しており、この伝達歯車２６が他の２本の偏心体軸３０にそれぞれ備わる入力歯車２０（いずれも図示していない。）と噛合している。即ち、入力歯車２０（２０Ａ、２０Ｂ、２０Ｃ）を備えた偏心体軸３０（３０Ａ、３０Ｂ、３０Ｃ）が３本配置されており、そのうち１の入力歯車２０Ａがピニオン１４及び伝達歯車２６と噛合し、その他の入力歯車２０Ｂ、２０Ｃは伝達歯車２６とのみ噛合している。又、伝達歯車２６は、２つの軸受、即ち軸受８０、８１で回転自在に支持されている。
【０００７】
ギアドモータ２´では、プーリ（ピニオンに相当する。）１４がベルトを介して入力プーリ（入力歯車に相当する。）２０と連結されており、該入力プーリ２０は偏心体軸３０に固定されている。偏心体軸３０の軸方向略中央には偏心体軸歯車２８が形成されており、該偏心体軸歯車２８が、軸方向に延在する伝達歯車２６と噛合している。ここでも偏心体軸３０は図示されたもの以外に２本存在し、これらの偏心体軸３０にも偏心体軸歯車２８が形成され、伝達歯車２６とそれぞれ噛合している。但し、図示されたもの以外の他の２本の偏心体軸３０には入力プーリ２０は備わっていない。又、伝達歯車２６は２つの軸受け、即ち軸受８０、８１で回転自在に支持されている。
【０００８】
【特許文献１】特開２００２−１０６６５０号公報
【特許文献２】特開２００２−１２２１９０号公報
【発明の開示】
【発明が解決しようとする課題】
【０００９】
ギアドモータ１乃至２´のいずれにおいても、伝達歯車２６が軸方向に延在しており、２つの専用の軸受８０、８１に回転自在に支持されている。このように伝達歯車２６が軸方向に延在していることから、当該伝達歯車２６を軸支するためには少なくとも２つの専用の軸受８０、８１の存在が必要であり（１の軸受で支持するような構成では、伝達歯車２６に転倒モーメントが発生し、伝達歯車２６を精度良く支持することができない。）、当該２つの専用の軸受８０、８１の存在によってコストが高くなり、及びスペース効率が悪化するという問題がある。
【００１０】
本発明は、上記問題点を解決するべくなされたものであって、低コスト且つコンパクトに実現できる内接揺動噛合型遊星歯車減速機を提供することをその課題としている。
【課題を解決するための手段】
【００１１】
本発明は、入力された動力を、揺動する外歯歯車を介して減速し出力する内接揺動噛合型遊星歯車減速機であって、前段の回転軸に設けられたピニオンと噛合して該ピニオンから駆動力を受ける入力歯車を備えた入力軸と、該入力軸に形成された入力軸歯車と、前記外歯歯車を揺動させるための偏心体を備えた複数本の偏心体軸と、該複数本の偏心体軸の少なくとも１本に形成され、該偏心体軸が動力を受け取るための偏心体軸歯車と、前記入力軸歯車の回転を前記偏心体軸歯車に伝達する伝達歯車と、該伝達歯車を軸方向に貫通する貫通部材と、前記伝達歯車と前記貫通部材とを回転可能に支持する１の軸受と、を備え、且つ、前記入力軸歯車、前記偏心体軸歯車、前記伝達歯車、前記軸受を同一平面上に配置することで、上記課題を解決するものである。
【００１２】
このような構成により、伝達歯車を軸方向に延在させる必要がなく、１つの軸受で支持した場合でも、当該伝達歯車に、支持精度が悪化する程の転倒モーメントが発生することはない。又、伝達歯車を支持する専用の軸受が１つで足りるため、コストを削減できると共に、省スペース化を実現している。
【００１３】
更に当該構成においては、入力歯車が動力源から動力を受け取る際、及び入力軸の入力軸歯車から（伝達歯車を介して）偏心体軸歯車へ動力を伝達する際の２段階で減速することが可能となり、高減速比を実現できる。又、この場合に伝達歯車を複雑な形状で用意する必要はなく、必要以上にコストを要することもない。
【００１４】
加えて、入力軸に、前段の回転軸（例えばモータ軸）に設けられたピニオンと噛合して該ピニオンからの駆動力を受ける入力歯車を備える構成としたことによって、前段の回転軸を当該減速機の軸中心から、よりオフセット配置することが可能となり、結果として大径のホロー部を構成することも可能となる。
【００１５】
又、特段、大減速比を実現する必要がない場合には、入力された動力を、揺動する外歯歯車を介して減速し出力する内接揺動噛合型遊星歯車減速機であって、前記外歯歯車を揺動させるための偏心体を備えた複数本の偏心体軸と、該複数本の偏心体軸の少なくとも１本に形成された偏心体軸歯車と、前段の回転軸に設けられたピニオンと噛合して該ピニオンから駆動力を受ける入力歯車を備え、且つ、前記偏心体軸歯車が形成された偏心体軸のいずれか１つと同軸に一体形成された入力軸と、該入力軸と一体形成された偏心体軸の回転を、その他の偏心体軸歯車が形成された偏心体軸に伝達する伝達歯車と、該伝達歯車を軸方向に貫通する貫通部材と、前記伝達歯車と前記貫通部材とを回転自在に支持する１の軸受と、を備え、且つ、前記偏心体軸歯車、前記伝達歯車、前記軸受を同一平面上に配置することにより上記同様に課題を解決するものである。加えて、偏心体軸を利用することにより、外歯歯車に対して、入力軸を新たに貫通させる必要がないため、外歯歯車の加工コストが低減でき、又、外歯歯車自体の剛性を高く維持することも可能となる。
【発明の効果】
【００１６】
低コスト且つコンパクトな内接揺動噛合型遊星歯車減速機を提供できる。
【発明を実施するための最良の形態】
【００１７】
以下、添付図面を用いて、本発明の実施形態の一例を詳細に説明する。
【００１８】
図１は、本発明の実施形態の一例を示すギアドモータ１００の側断面図であり、図２は、図１における矢示II−II線に沿う断面図である。
【００１９】
ギアドモータ１００は、動力源となるモータ１１０と、内接揺動噛合型遊星歯車減速機１０１とから構成される。当該ギアドモータ１００は、自身の軸方向が上下方向となるように設置された、いわゆる「縦型」のギアドモータである。減速機構が収容されるケーシング１４０の上面側にモータ１１０が設置され、一方、ケーシング１４０の下面側には基台１４２がボルト１４４を介して連結されている。又、ギアドモータ１００の半径方向中央部分は、中空とされたホロー部Ｈが存在し、該ホロー部Ｈにケーブル１７０等を通して使用することが可能である。
【００２０】
ホロー部Ｈは、第１、第２キャリア体１３８Ａ、１３８Ｂを貫通する円筒フランジ（後述する伝達歯車１２６を貫通する貫通部材）１３１の内周に形成され、該円筒フランジ１３１は、取付ボルト１２９によって第２キャリア体１３８Ｂに固定されている。又、円筒フランジ１３１とモータ取付体１３９との間、及び、円筒フランジ１３１と第２キャリア体１３８Ｂとの間には、Ｏリング１６０が介在されており、減速機１０１内の潤滑剤が外部に漏れないようシールされている。
【００２１】
モータ１１０のモータ軸（前段の回転軸）１１２には、モータ軸１１２と一体的に（等速で）回転するようにピニオン１１４が備わっている。このピニオン１１４は、例えばモータ軸１１２に直切形成されていてもよいし、別部材としての歯車が固定されていてもよい。このピニオン１１４は、自身より径の大きな入力歯車（入力部材）１２０と噛合している。即ち、ピニオン１１４よりも入力歯車１２０の方が大歯車として構成されている。入力歯車１２０は入力軸１２２に固定されている。入力軸１２２は、第１キャリア体１３８Ａ及び外歯歯車１３４を貫通する態様で配置され、入力軸用軸受１５２Ａを介して第１キャリア体１３８Ａに対して回転自在に支持されており、更に、入力軸用軸受１５２Ｂを介して第２キャリア体１３８Ｂに対して回転自在に支持されている。本実施形態では、入力軸１２２は第２キャリア体１３８Ｂを貫通していない。
【００２２】
又、入力軸１２２の軸方向中程（入力軸１２２を支持する入力軸用軸受１５２Ａ、１５２Ｂの間）には、入力軸歯車１２４が入力軸１２２と一体的に形成されている。この入力軸歯車１２４は伝達歯車１２６と噛合している。伝達歯車１２６は、ちょうどホロー部Ｈを内包するように配置されている。即ち、ホロー部Ｈを形成する円筒フランジ１３１が、伝達歯車１２６を軸方向に貫通する態様で配置されており、当該伝達歯車１２６が回転可能なように、円筒フランジ１３１から１の伝達歯車用軸受１２７で支持されている。このように１の軸受で伝達歯車１２６を支持することで、軸受のコスト及びスペースは最小限として構成できる。この伝達歯車用軸受１２７は、本実施形態においては、複数の「ころ」により構成されている。その結果、円筒フランジ１３１の外周面及び伝達歯車１２６の内周面が当該「ころ」の転送面として機能するような構成とされている。又、円筒フランジ１３１の当該転送面として機能する部分は、強度を確保するために他の部分より厚みを有するように形成されている（円筒フランジ凸部１３１Ｔ）。
【００２３】
なお、伝達歯車用軸受１２７を本実施形態のように「ころ」として構成すれば、ホロー部Ｈの径をより大径とすることが出来る利点があるが、例えば、玉軸受等で構成することも可能である。そのようにすれば、玉軸受に備わる内輪の存在によって、円筒フランジ１３１の軸受（伝達歯車用軸受１２７）との当接部分の強度はそれ程必要とならない。又、円筒フランジ１３１の「ころ」転送面の強度確保のためには、上記のような円筒フランジ自体の厚みを変える手法の他にも、例えば、高周波焼入れ等の表面処理で対処することも可能である。そのようにすれば、ホロー部Ｈの径を更に広く採ることが可能となる。
【００２４】
又、入力軸１２２と異なる位置に、互いに１２０°位相を異ならせて３本の偏心体軸１３０が配置されている（図２参照）。それぞれの偏心体軸１３０の軸方向略中央部分には、偏心体軸歯車１２８が形成されており、この偏心体軸歯車１２８が、前述した伝達歯車１２６と噛合している。その結果、入力軸歯車１２４、偏心体軸歯車１２８、伝達歯車１２６、伝達歯車用軸受１２７が全て同一平面上に配置される構成となる。当該構成によって、伝達歯車１２６の半径方向の位置は、伝達歯車用軸受１２７を介して円筒フランジ１３１によって支持された上で、上述した入力軸歯車１２４及び、３つの偏心体軸歯車１２８によって規制されることとなる。なお、偏心体軸歯車１２８の径は入力軸歯車１２４の径よりも大径、即ち大歯車として構成されている。
【００２５】
又、偏心体歯車１２８の直ぐ上側及び下側、即ち、軸方向両側には、それぞれ偏心方向が異なる偏心体１３２が偏心体軸１３０と一体的に形成されている。更に、各偏心体１３２はそれぞれ偏心体用軸受１３３を介して外歯歯車１３４（の中空部）に嵌合している。即ち、伝達歯車１２６は、その軸方向（上下方向）の位置を、２枚の外歯歯車１３４によって規制されているということを意味している。
【００２６】
又、外歯歯車１３４は、偏心体用軸受１３３を介して偏心体１３２を自身の中空部に嵌合させると同時に、ピン状の内歯１３６と噛合している。ピン状の内歯１３６の数は、外歯歯車１３４の歯の数と僅少の差を有するように設定されている。なお、本実施形態においては、当該内歯１３６とケーシング１４０とで内歯歯車を構成している。
【００２７】
各偏心体軸１３０は、偏心体軸用軸受１５４Ａを介して第１キャリア体１３８Ａに対して回転自在に支持されており、一方、偏心体軸用軸受１５４Ｂを介して、第２キャリア体１３８Ｂに対して回転自在に支持されている。
【００２８】
キャリア体１３８は、上面側に位置する第１キャリア体１３８Ａと下面側に位置する第２キャリア体１３８Ｂとから構成されており、８本のキャリアピン１３７及び当該キャリアピン１３７に連結されるキャリアボルト（図示しない）によって、一体的に連結されている。又、第１キャリア体１３８Ａは、キャリア体用軸受１５０Ａを介してケーシング１４０に回転自在に支持されており、第２キャリア体１３８Ｂは、キャリア体用軸受１５０Ｂを介してケーシング１４０に回転自在に支持されている。
【００２９】
次に、ギアドモータ１００の作用について説明する。
【００３０】
モータ１００が作動すると、モータ軸１１２の回転はピニオン１１４を介して入力歯車１２０へと伝達される。このとき、ピニオン１１４の径よりも入力歯車１２０の径の方が大径（大歯車）であるため、モータ軸１１２の回転は減速されて入力軸１２２へと伝達される。入力軸１２２が回転すると入力軸歯車１２４も回転するため、更に入力軸歯車１２４と噛合する伝達歯車１２６も回転する。又、入力軸歯車１２４の径よりも偏心体軸歯車１２８の径の方が大径（大歯車）である為、入力軸１２２の回転は、伝達歯車１２６を介して、更に減速されて偏心体軸歯車１２８に伝達される。このように、本実施形態のギアドモータ１００においては、モータ軸１１２の回転が偏心体１３２に伝達されるまでの過程において２段階に減速されており、高い減速比で減速された動力を、続く遊星歯車減速部（偏心体、外歯歯車、内歯）へと伝達することが可能とされている。即ち、遊星歯車減速部で無理に高減速比を得るような構成を採用する必要がない。
【００３１】
又、伝達歯車１２６の同一平面上に、入力軸歯車１２４、偏心体軸歯車１２８、伝達歯車用軸受１２７が配置されているため、当該伝達歯車１２６入力される力及び当該伝達歯車１２６から出力される力は同一平面上でバランスする。その結果、伝達歯車１２６に大きな転倒モーメントが掛かることはない。即ち、１の伝達歯車用軸受１２７であっても、伝達歯車１２６を精度良く回転支持することが可能となっている。更に、当該伝達歯車用軸受１２７が存在することで、伝達歯車１２６にかかる不均等なラジアル荷重（入力軸歯車１２４から受けた動力を３つの偏心体軸歯車１２８に振り分けた後に残るラジアル方向の偏荷重）を受け持つことが出来るために、伝達歯車１２６が不要に振動したり、該振動に起因する騒音が発生することを防止している。
【００３２】
又、伝達歯車１２６は、３つの偏心体軸歯車１２８と噛合することによって３本の偏心体軸１３０と連結されているため、入力軸１２２から伝達された動力を、同時に各偏心体軸１３０へ伝達する。よって、振り分け方に起因するバックラッシのずれが生じることもない。伝達歯車１２６の回転により、各偏心体軸１３０が回転を始めるが、各偏心体軸１３０には偏心体１３２が一体的に形成されているために、偏心体１３２が偏心回転することによって外歯歯車１３４を揺動回転させることとなる。このとき外歯歯車１３４は、僅少の歯数差を有する内歯１３６とも噛合しているため、外歯歯車１３４は僅かに自転しつつ殆ど揺動のみをすることになる。この揺動成分は偏心体１３２によってキャンセルされるため、外歯歯車１３４の僅かな自転成分のみが、キャリア体１３８へと伝達されて出力されてくる。
【００３３】
なお、本実施形態では、基台１４２によってケーシング１４０が固定されているために、ギアドモータ１００の動作によって、モータ１１０も含めたキャリア体１３８全体が回転することとなる。
【００３４】
又、軸方向の両側を外歯歯車１３４で規制することにより、伝達歯車１２６の滑らかな回転が確保できる。これは、外歯歯車１３４の表面が元々精度良く仕上げられていることに起因して得られる利点である。
【００３５】
又、本実施形態における伝達歯車１２６は、キャリア体１３８の内部（第１、第２キャリア体１３８Ａ、１３８Ｂの間）に配置されているため、装置全体の軸方向の大きさをコンパクトに設計できる。
【００３６】
又、入力軸１２２に、モータ軸１１２に設けられたピニオン１１４と噛合して該ピニオンからの駆動力を受ける入力歯車１２０を備える構成としたことによって、モータ１１０を減速機１０１の軸中心から、よりオフセット配置することが可能となり、結果としてホロー部Ｈの径を大径とすることが可能となる。又、入力軸１２２を外歯歯車１３４のピッチ円の内側に配置し、更に、入力軸１２２に固定される入力歯車１２０に噛み合うピニオン１４４を内歯歯車のピッチ円の内側に配置構成することを可能としている。その結果、動力源としてモータを取り付けた場合であっても、ギアドモータ全体を半径方向にコンパクトに構成でき、運転時に周囲に要するスペースも少なくてよい。
【００３７】
なお、伝達歯車の軸方向位置は、図３に示すように、第１キャリア体２３８Ａ（又は第２キャリア体２３８Ｂ）と外歯歯車２３４との間に位置するように構成してもよい。即ち、伝達歯車２２６の軸方向位置が、外歯歯車２３４とキャリア体２３８によって規制されていてもよい。特に第１キャリア体２３８Ａと外歯歯車２３４の間に配置した場合には、重量のある外歯歯車２３４の重みが伝達歯車２２６に掛からないために、摺動ロスの低減を図ることが出来る。
【００３８】
なお、図示はしないが、入力歯車が固定される入力軸を、３本の偏心体軸のうちのいずれか１つの偏心体軸と同軸で一体的に形成すような構成を採用することも可能である。当該構成においては、外歯歯車に対して、別途入力軸を新たに貫通させる必要がないため、外歯歯車の加工コストが低減でき、又、外歯歯車自体の剛性を高く維持することも可能となる。
【００３９】
なお、上記説明した実施形態においては、外歯歯車１３４が２枚の構成とされていたが、これに限定されるものではなく、３枚以上であってもよいし、１枚であってもよい。
【００４０】
又、３本の偏心体軸１３０は、互いに位相を１２０°異ならせて配置されていたが、これと異なる位相で配置されていてもよい。配置される偏心体軸（偏心体軸歯車が形成された偏心体軸）の本数等によって、適宜位相を変えて構成可能である。
【００４１】
又、３本の偏心体軸１３０の全てに偏心体軸歯車１２８が形成されていたが、これに限定されるものではなく、揺動する外歯歯車１３４に従動して偏心回転する偏心体軸が存在してもよい。
【００４２】
又、ケーブル等を貫通させて配置する必要がない場合には、円筒フランジの代わりに中実の部材を用いてもよい。
【００４３】
又、モータ取付体１３９にピニオン１１４を有する軸を回転支持すると共に、この軸とモータ軸１１２とをスプライン等で連結する機構としてもよい。
【産業上の利用可能性】
【００４４】
本発明は、特に産業用ロボットの関節部分に利用すると好適である。
【図面の簡単な説明】
【００４５】
【図１】本発明の実施形態の一例を示すギアドモータの側断面図
【図２】図１における矢示II−II線に沿う断面図
【図３】本発明の他の実施形態の一例を示すギアドモータの側断面図
【図４】特許文献１記載のギアドモータ１の側断面図
【図５】特許文献２記載のギアドモータ２の側断面図
【図６】特許文献２記載のギアドモータ２´の側断面図
【符号の説明】
【００４６】
１００…ギアドモータ
１０１…減速機（内接揺動噛合型遊星歯車減速機）
１１０…モータ
１１２…モータ軸
１１４…ピニオン
１２０…入力歯車
１２２…入力軸
１２４…入力軸歯車
１２６…伝達歯車
１２７…伝達歯車用軸受
１２８…偏心体軸歯車
１３０…偏心体軸
１２９…取付ボルト
１３１…円筒フランジ
１３１Ｔ…円筒フランジ凸部
１３２…偏心体
１３３…偏心体用軸受
１３４…外歯歯車
１３６…内歯
１３８…キャリア体
１３８Ａ…第１キャリア体
１３８Ｂ…第２キャリア体
１３９…モータ取付体
１４０…ケーシング
１４２…基台
１４４…ボルト
１５０…キャリア体用軸受
１５２…入力軸用軸受
１５４…偏心体軸用軸受
１６０…Ｏリング
１７０…ケーブル
Ｈ…ホロー部
【図１】
2007278355.tif 000003
【図２】
2007278355.tif 000004
【図３】
2007278355.tif 000005
【図４】
2007278355.tif 000006
【図５】
2007278355.tif 000007
【図６】
2007278355.tif 000008
【手続補正書】
【提出日】平成18年4月12日(2006.4.12)
【手続補正１】
【補正対象書類名】図面
【補正対象項目名】図１
【補正方法】変更
【補正の内容】
【図１】
2007278355.tif 000009
【手続補正２】
【補正対象書類名】図面
【補正対象項目名】図３
【補正方法】変更
【補正の内容】
【図３】
2007278355.tif 000010